(57)【特許請求の範囲】
【請求項１】
車両用の加熱デバイス（１０）において、
−  液体熱輸送媒体用の流路（１４、１６、２０、２２、２４）と、
−  前記流路の加熱部分の前記熱輸送媒体を加熱するための電気加熱ユニット（２５）と、
−  前記電気加熱ユニット（２５）から前記加熱部分内の前記熱輸送媒体に熱を伝達するための伝熱ユニット（１８）と、
−  前記加熱デバイスの加熱電力を制御するための電子制御ユニット（２６）と、
を含み、
前記流路が、
−  前記加熱部分の上流側にある入口部分（１６）と、
−  前記加熱部分の下流側にある出口部分（２２）と、
を含み、
前記電子制御ユニット（２６）に、前記電子制御ユニット（２６）からの廃熱を前記流路の前記入口部分（１６）の前記熱輸送媒体に排出するための熱排出本体（２８）が提供され、
前記加熱部分が、前記熱輸送媒体が並列で流れうる少なくとも２つの蛇行チャネル（２０）を含み、
前記蛇行チャネル（２０）が、前記入口部分（１６）から分岐部（３６）で分岐し、前記出口部分（２２）に合流部（３８）で合流し、
前記少なくとも２つの蛇行チャネル（２０）のそれぞれが、前記伝熱ユニット（１８）によって画定され、正確に２×Ｎのヘアピンカーブを含み、Ｎが自然数であり、
前記伝熱ユニット（１８）と前記熱排出本体（２８）とが単一部品で形成されていることを特徴とする、
加熱デバイス（１０）。
【請求項２】
前記蛇行チャネル（２０）の少なくとも１つが、前記蛇行チャネル（２０）内を流れる前記熱輸送媒体の回転を発生させるための少なくとも１つの回転要素（４８）を含み、前記回転が前記蛇行チャネル（２０）の長手方向の軸線を中心とする、請求項１に記載の加熱デバイス（１０）。
【請求項３】
前記回転要素（４８）が、前記蛇行チャネル（２０）内部の前記熱輸送媒体を混合するように配置されている、請求項２に記載の加熱デバイス（１０）。
【請求項４】
前記蛇行チャネル（２０）が、ヘアピンカーブとヘアピンカーブとの間の部分において互いに接して配置されている、請求項１〜３のいずれか一項に記載の加熱デバイス（１０）。
【請求項５】
前記蛇行チャネル（２０）の前記互いに接して配置されている部分が、仕切り壁を共有している、請求項４に記載の加熱デバイス（１０）。
【請求項６】
前記蛇行チャネル（２０）が互いに同様の形状である、請求項１〜５のいずれか一項に記載の加熱デバイス（１０）。
【請求項７】
前記熱輸送媒体の流れの方向において、前記少なくとも２つの蛇行チャネル（２０）が前記入口部分（１６）からそれぞれ分岐するのにしたがって、前記入口部分（１６）の断面積が減少することを特徴とする、請求項１〜６のいずれか一項に記載の加熱デバイス（１０）。
【請求項８】
前記入口部分（１６）と前記出口部分（２２）とが長尺状であり、互いに平行して延在することを特徴とする、請求項１〜７のいずれか一項に記載の加熱デバイス（１０）。
【請求項９】
前記少なくとも２つの蛇行チャネル（２０）がそれぞれ、前記入口部分（１６）から垂直に分岐し、前記出口部分（２２）に垂直に合流することを特徴とする、請求項１〜８のいずれか一項に記載の加熱デバイス（１０）。
【請求項１０】
前記少なくとも２つの蛇行チャネル（２０）が、前記入口部分（１６）から前記出口部分（２２）への方向において、互いに隣り合って配置されている、請求項１〜９のいずれか一項に記載の加熱デバイス（１０）。
【請求項１１】
前記流路が、
−  前記入口部分（１６）の上流側にある、前記熱輸送媒体を前記加熱デバイス（１０）内に入れるための入口（１４）と、
−  前記出口部分（２２）の下流側にある、前記加熱デバイス（１０）から前記熱輸送媒体を排出するための出口（２４）と、
を更に含む、請求項１〜１０のいずれか一項に記載の加熱デバイス（１０）。
【請求項１２】
前記伝熱ユニット（１８）と前記熱排出本体（２８）とを相互接続し、前記伝熱ユニット（１８）と前記熱排出本体（２８）との間の熱抵抗が最短線と比較して増加するように非直線に沿って延在する連結部品（４４）を含む、請求項１〜１１のいずれか一項に記載の加熱デバイス（１０）。
【請求項１３】
前記非直線がＬ、Ｕ、Ｖ、Ｓ、Ｚ、Ｎ、Ｍ又はＷ字形である、請求項１２に記載の加熱デバイス（１０）。
【請求項１４】
前記電気加熱ユニット（２５）が、前記伝熱ユニット（１８）の上又は下に配置されている、請求項１〜１３のいずれか一項に記載の加熱デバイス（１０）。
【請求項１５】
前記伝熱ユニット（１８）が前記電気加熱ユニット（２５）に面して配置されている、請求項１〜１４のいずれか一項に記載の加熱デバイス（１０）。
【請求項１６】
請求項１〜１５のいずれか一項に記載の加熱デバイス（１０）を車両（５２）内で動作させる方法であって、
液体熱輸送媒体が、前記加熱デバイスの前記少なくとも２つの蛇行チャネル内を同時に流れ、それによって前記熱輸送媒体が前記車両（５２）の電気加熱ユニットにより加熱されることを特徴とする、方法。
【発明の詳細な説明】
【技術分野】
【０００１】
本発明は車両用の加熱デバイス及び車両内の加熱デバイスを動作させる方法に関する。
【背景技術】
【０００２】
電気加熱デバイスは、例えば、自動車において、補助暖房として又は停車中の暖房（ｐａｒｋ  ｈｅａｔｉｎｇ）として使用される。電気加熱デバイスは、通常、熱を発生させるための、及び発生した熱を熱輸送媒体に排出するための少なくとも１つの電気加熱ユニットを含む。熱輸送媒体は、例えば、水であっても別の適切な熱輸送液体であってもよい。
【０００３】
電気加熱ユニットは、加熱ユニットの加熱電力の制御を可能にする電子制御ユニットに連結されてもよい。電子制御ユニットは、例えば、加熱ユニット中の電流を制御するための、又は加熱ユニットに印加される電圧を制御するための、例えば、パワートランジスタ又は半導体ベースの電子回路を含んでもよい。パワートランジスタは、例えば、絶縁されたゲート電極を有するバイポーラトランジスタ（ＩＧＰＴ）であってもよい。パワートランジスタは、発熱体、例えば、加熱抵抗器と電気的に直列で接続されてもよい。副次的影響として、電子制御ユニットは、通常、熱を発生させるが、この熱は制御ユニットが過熱することを防止するために放散させなければならない。例えば、入れた空気を通じて廃熱を排出するように空気冷却が提供されてもよい。電子制御ユニットは、例えば、空気ダクトの内部に配置されてもよく、空気ダクト内には空気が流れうる。空気の流れを発生させるために、送風機、例えば、ファンがダクト内部に配置されてもよい。電子制御ユニットによって予熱された空気はそれを更に所望の温度まで加熱するために更に加熱ユニット内において経路を定められてもよい。加熱空気は、その後、更にその目的地に、例えば、車両の乗員用車室に経路を定められてもよい。
【発明の概要】
【発明が解決しようとする課題】
【０００４】
本発明の目的は、小型で、頑丈な、省エネルギの、構造的にシンプルな電気加熱デバイスを提供することである。本発明の別の目的は、構造的にシンプルな手法で実施されうる車両内の加熱デバイスを動作させる省エネルギの方法を記載することである。
【課題を解決するための手段】
【０００５】
これら目的は独立請求項の特徴によって解決される。従属請求項は改良形態及び有利な実施形態を記載する。
【０００６】
以下、液体熱輸送媒体用の流路と、流路の加熱部分の熱輸送媒体を加熱するための電気加熱ユニットと、を含む車両用の加熱デバイスについて記載する。
【０００７】
加熱部分は、熱輸送媒体が並列で流れうる少なくとも２つの蛇行チャネルを含んでもよい。チャネルの並列接続は、単一の蛇行チャネルのみを備えた別の設計、又は直列接続と比較した場合、加熱部分における熱輸送媒体の圧力損失が低下するという利点を有する。ポンプ又は熱輸送媒体を移動させるための他の駆動手段は、従って、より低い電力を使用して動作させることができ、従って、あまり強力でなくてもよい。いくつかの、つまり、少なくとも２つの直線チャネルが並列で接続された別の代替的な設計と比較すると、本明細書中に記載される蛇行形状は、熱輸送媒体内に乱流を発生させ、故に、熱輸送媒体の過熱又は沸騰を防止又は遅延させるという利点を有する。いくつかの蛇行チャネルの並列接続は、従って、これら２つの代替的実施形態の間の妥協点、即ち、単一の蛇行チャネルと並列で接続されたいくつかの直線チャネルとの間の妥協点である。この妥協点は乱流に好適であると同時に、加熱部分の比較的小さな圧力損失を生じる。
【０００８】
流路は、加熱部分の上流側にある入口部分と、加熱部分の下流側にある出口部分と、を含んでもよく、チャネルは入口部分から分岐し、出口部分に排出する。チャネルは、従って、入口部分を出口部分に連結する。従って、チャネルに、共通の入口部分及び共通の出口部分が提供される。これにより、例えば、それぞれがちょうど１つのチャネルを含む同一の加熱デバイスの群と比較して低減された数の構成要素を可能にする。
【０００９】
入口部分は、その断面積がチャネルの分岐部に従い熱輸送媒体の流れの方向に低減するように設計されてもよい。同様に、入口部分は、その断面積がチャネルの排出点に従い熱輸送媒体の流れの方向に増加するように設計されてもよい。従って、圧力が分岐点のそれぞれにおいてほぼ同じということが実現されてもよい。例えば、分岐点及び／又は排出点はそれぞれ、入口部分及び出口部分をそれぞれ画定するボックスによって連結されてもよい。ボックスはどのチャネルにも同じ圧力がかかるように設計されてもよい。従って、入口部分を画定するボックス（インレットボックス）は流れの方向に狭くなると想定してもよい。同様に、出口部分を画定するボックス（アウトレットボックス）は流れの方向に広くなると想定してもよい。個々のチャネルは同様の形状であってもよい。これは、それらの幾何学的形状を計算するにあたり利点をもたらしてもよい。
【００１０】
入口部分及び出口部分は、例えば、長尺状であり、且つ互いに平行して延在してもよい。入口部分と出口部分との間の体積は、従って、一定の横断寸法を有し、入口部分と出口部分との間のチャネルの配置において有利である。チャネルはそれぞれ入口部分から垂直に分岐し、出口部分に垂直に排出すると想定してもよい。これは分岐点及び排出点において乱流を発生させるのに好都合である。更に、それは熱輸送媒体の入口及び出口を共通の面に、例えば、加熱デバイスの前側に配置することを可能にする。
【００１１】
更に、チャネルのそれぞれが正確に２×Ｎのヘアピンカーブを呈すると想定してもよい。ここで、Ｎは自然数である。この状況において、ヘアピンカーブは１５０°〜１８０°の角度を有するカーブである。ヘアピンカーブは、従って、その角度によって熱輸送媒体の流れの向きの変化を発生させる。入口部分と出口部分との間の距離が大きくなるほどヘアピンカーブの合計数が対であると好都合である。これは流路の幾何学的形状を簡略化してもよい。
【００１２】
流路は、入口部分の上流側に、熱輸送媒体を加熱デバイス内に入れるための入口、出口部分の下流側に、加熱デバイスから熱輸送媒体を排出するための出口を含んでもよい。加熱デバイスは、従って、熱回路内のモジュールとして使用されうる。熱回路は、熱輸送媒体から、加熱される空気に熱を伝達するための空気熱交換器、及び熱輸送媒体の流れを発生させるための、ポンプ等の駆動デバイスなどの更なる構成要素又はモジュールを含んでもよい。
【００１３】
チャネルのそれぞれには、チャネル内を、チャネルの長手方向の軸線を中心として流れる熱輸送媒体の回転運動を発生させるための１つ又は複数の回転要素が配置されてもよい。各々の回転要素は、従って、流れに回転成分を付与することが可能である。回転要素は受動回転要素であってもよい。つまり、それは駆動手段を欠いてもよい。受動回転要素はそれが熱輸送媒体の並進運動エネルギの一部を回転運動エネルギに変換するように幾何学的に設計されてもよい。
【００１４】
回転要素は、更に、チャネル内の熱輸送媒体を混合するように設計されてもよい。回転要素は、換言すると、熱輸送媒体中に乱流を発生させるように設計されてもよい。これは発熱体から熱輸送媒体に熱を伝達するのに好都合である。
【００１５】
制御ユニットには、制御ユニットから、加熱部分の上流側にある流路の入口部分の熱輸送媒体に廃熱を排出するための熱排出本体が提供されてもよい。この場合、入口部分は予熱部分を形成する。電子制御ユニットからの廃熱は、従って、主に、加熱される標的媒体（例えば、車両の乗員用車室に供給される空気）に直接伝達されず、液体熱輸送媒体に伝達される。これに必要な構造の体積（ｃｏｎｓｔｒｕｃｔｉｏｎ  ｖｏｌｕｍｅ）は、例えば、電子制御ユニットの空気冷却と比較して小型化されてもよい。空気ダクト、又は加熱デバイス内部の空気流路を画定するための他の構成要素及び送風機を排除してもよい。熱排出本体は、例えば、熱輸送媒体用の入口チャンバの内部に、又は加熱部分の上流側にある熱輸送媒体の別の流れ領域の内部に配置されてもよい。
【００１６】
電子制御ユニットから熱排出本体を介した熱輸送媒体への十分に高い比率の熱伝達が、熱輸送媒体の適切な流れ速度とともに、熱排出本体の適切な寸法決め及び幾何学的形状によって確実とされてもよい。熱排出本体を越えて流れる熱輸送媒体、例えば、水は、従って、沸騰することを防止されてもよい。熱排出本体における熱輸送媒体の沸騰は望ましくない場合があるが、その理由は、それが、熱分離効果（ｔｈｅｒｍａｌ  ｉｓｏｌａｔｉｏｎ  ｅｆｆｅｃｔ）を有する可能性があり、従って、電子制御ユニットからの廃熱の排出を妨げる可能性のある気泡を熱排出本体において形成する可能性があるからである。熱排出本体の適切な寸法決め及び成形は、しかしながら、熱輸送媒体の沸騰の場合であっても、熱排出本体において形成する気泡が熱輸送媒体の流れとともに押し流されることを可能にする。従って、滑らかな（粗くない）及び／又は流線形の表面を有する熱排出本体が有利であってもよい。粗く、平坦でなく、流線形でない表面は熱排出本体から熱輸送媒体への熱の流れに好適な熱輸送媒体の乱流を表面において発生させるという利点を有してもよいが、それは、熱輸送媒体の沸騰の場合、形成された気泡が熱排出本体に留まったままになる効果を有する可能性がある。しかしながら、沸騰のリスクがごくわずかである場合、乱流に好適な熱排出本体の表面の設計はより良好な選択肢となってもよい。
【００１７】
熱排出本体は、熱輸送媒体におけるその流れ抵抗が最小になるように配向されてもよい。熱輸送媒体を流路に沿って移動させるのに必要な電力、つまり、熱輸送媒体の流れを発生させるために必要な電力はこのような手法で最小にすることができる。例えば、熱輸送媒体を送るためにポンプが使用される場合、比較的低電力、故に、比較的低いエネルギ消費を有するポンプが使用されてもよい。更に、熱排出本体において気泡が形成されるおそれが低減されてもよい。
【００１８】
加熱デバイスには、加熱部分の下流側にある熱輸送媒体から空気に熱を伝達するための空気熱交換器が提供されてもよい。空気熱交換器は、例えば、熱の、空気への最適な輸送を確実とするため、互いに近傍に配置される熱輸送媒体用のいくつかのチャネルと、空気用のいくつかのチャネルと、を含んでもよい。加熱デバイスは、予熱部分内の流路を少なくとも部分的に画定する壁を更に含んでもよく、熱排出本体は壁から予熱部分に延在する。熱排出本体は、例えば、壁の突起物として、又はピン、ボルトもしくはフィンとして形成されてもよい。加えて、熱排出本体が壁の反対側部分まで延在することも想定されてもよい。予熱部分において利用可能な体積が、従って、最適な状態で使用されうる。熱排出本体は、例えば、壁の両側に取り付けられた２つの端部を含んでもよい。この配置は特に頑丈であってもよい。加熱デバイスがいくつかの電子制御ユニットを含む場合、２つの端部のそれぞれに電子制御ユニットが配置されてもよい。例えば、加熱デバイスは、いくつかの電気加熱ユニット、例えば、並列で接続されたいくつかの加熱抵抗器を含んでもよく、そのそれぞれは、それと各々関連付けられた電子制御ユニット、例えば、電源スイッチを有する。熱排出本体と壁とは単一部品で形成されてもよい。これは、加熱デバイスの製造を容易にしてもよく、且つ高い頑強性を確実にしてもよい。熱排出本体及び壁は、例えば、高熱伝導率を有する適切な材料から成形部品として作製されてもよい。別法として、熱排出本体は、例えば、高熱伝導率を有する材料、例えば、アルミニウムなどの金属から作製されてもよく、壁は、熱絶縁材料、例えば、プラスチック材料又はセラミックスから作製されてもよい。熱排出本体と熱輸送媒体との間の熱伝達は、従って、最適化されてもよい一方で、加熱デバイスの近傍の構成要素又は空気などの別の環境への、壁を介した熱の損失が最小になってもよい。上に言及したように、加熱デバイスは第２電子制御ユニットを含んでもよく、熱排出本体は第１制御ユニットから第２制御ユニットに延在する。この場合、第１制御ユニットと第２制御ユニットは共通の熱排出本体を共用する。製造コストをこのような手法で削減することができ、且つ頑強性を強化することができる。
【００１９】
加熱デバイスは、発熱体から加熱部分内の熱輸送媒体に熱を伝達するための伝熱ユニットを更に含んでもよい。別法として、電気加熱ユニットは熱輸送媒体と直接接触していてもよい。伝熱ユニットと熱排出本体とは単一部品で形成されてもよい。伝熱ユニット及び熱排出本体を含む構成要素は、例えば、フィンの第１の群及びフィンの第２の群を含んでもよく、各群は、少なくとも１つのフィンを含み、第１の群は流路の加熱部分内に配置されている一方で、第２の群は流路の予熱部分内に配置されている。つまり、フィンの第１の群は伝熱ユニット又は伝熱ユニットの一部とみなされてもよい一方で、フィンの第２の群は熱排出本体又は熱排出本体の一部とみなされてもよい。近傍のフィンは、例えば、流路の一部である熱輸送媒体のためのチャネルを画定してもよい。
【００２０】
加熱デバイスは、伝熱ユニットと熱排出本体とを互いに連結し、且つ伝熱ユニットと熱排出本体との間の熱抵抗が最短線と比較して増加されるように非直線に沿って延在する連結部品を更に含んでもよい。電気加熱デバイスから電子制御ユニットへの熱の流れはこのような手法で最小にされてもよい。連結部品は、例えば、波形として、又はいくつかの連続波形として形成されてもよい。
【００２１】
言及した非直線は、例えば、以下の文字、Ｌ、Ｕ、Ｖ、Ｓ、Ｚ、Ｎ、Ｍ、及びＷのうちの１つの形状とされてもよい。
【図面の簡単な説明】
【００２２】
【図１】加熱デバイスの一例の頂面図を示す。
【図２】図１の加熱デバイスの斜視図を示す。
【図３】図１の加熱デバイスの更なる斜視図を示す。
【図４】図１の加熱デバイスの拡大図を示す。
【図５】図１の加熱デバイスの更なる斜視図を示す。
【図６】流路の一例の概略図を示す。
【図７】電子制御ユニット用の熱排出本体を有する伝熱ユニットの一例を概略的に示す。
【図８】加熱デバイスの一例の断面図を示す。
【図９】加熱デバイスの別の例の断面図を示す。
【図１０】混合デバイスの一例を示す。
【図１１】チャネル内にある図１０の混合デバイスを示す。
【図１２】混合デバイスの別の例を示す。
【図１３】チャネル内にある図１２の混合デバイスを示す。
【図１４】流れ図を示す。
【発明を実施するための形態】
【００２３】
図面の以下の説明においては、同一の参照符号は同一又は類似の構成要素を意味する。
【００２４】
図１〜５は、車両用、例えば、自動車、又は移動式生活又は作業コンテナ（ｍｏｂｉｌｅ  ｌｉｖｉｎｇ  ｏｒ  ｗｏｒｋｉｎｇ  ｃｏｎｔａｉｎｅｒ）用の電気加熱デバイス１０を示す。図１〜４において、デバイス１０は、デバイス１０の内部領域の図を見せるためにその上部側を開いて示される。加熱デバイス１０はハウジング１２を含む。水などの液体熱輸送媒体の流路がハウジング１２内部に画定される。示される例においては、流路は、以下の部分、入口１４、入口チャンバ１６（入口部分）、伝熱ユニット１８によって画定されるいくつかのチャネル２０、出口チャンバ２２（出口部分）、及び出口２４を、この順序において含む。チャネル２０は並列で連結されており、入口チャンバ１６を出口チャンバ２２に連結している。
【００２５】
少なくとも１つの加熱ユニット２５（図８及び図９に示される）が熱キャリアユニット１８に組み込まれるか、熱キャリアユニット１８の上又は下に配置されており、且つ加熱ユニット２５と伝熱ユニット１８との間の熱抵抗が最小限であるように熱キャリアユニット１８に機械的に連結されている。示される例においては、加熱デバイス１０は、複数の電気加熱ユニット２５（図８及び図９に示される）と、加熱ユニット２５のそれぞれの個々の加熱電力を制御するための、対応する数の電子制御ユニット２６（同様に図８及び図９に概略的に示される）を含む。各加熱ユニット２５は、従って、それと関連付けられた対応する電子制御ユニット２６を有する。加熱ユニット２５は１つ又はいくつかの発熱体を含んでもよい。加熱ユニット２５及び制御ユニット２６は、例えば、加熱抵抗器及び加熱抵抗器と直列で接続されたパワートランジスタであってもよい。別法として、いくつかの加熱ユニット２５の群はそれと関連付けられた共通の制御ユニット２６を有してもよい。例えば、群が加熱デバイス１０の全ての加熱ユニット２５を含み、この群が電源スイッチ２６と直列で接続され、加熱ユニット２５の総電力を制御する実施形態が想定されてもよい。いくつかの制御ユニット２６が提供される場合、これらは単一構成要素において実装されてもよい。示される例においては、電源電圧を印加するため、制御ユニット２６はそれぞれ少なくとも２つの電気接点３０を介して接触されうる。
【００２６】
制御ユニット２６のそれぞれは熱排出本体２８に機械的に連結されている。熱排出本体２８は電子制御ユニット２６から入口チャンバ１６内の熱輸送媒体に廃熱を排出する機能を果たす。入口チャンバ１６は、従って、流路の予熱部分とも呼ばれる。各制御ユニット２６はそれと関連付けられた１つ又は複数の熱排出本体２８を有してもよい。あるいは、いくつかの熱排出本体２８は単一のより大型の熱排出本体とみなされてもよい。示される例においては、熱排出本体２８は制御ユニット２６から入口チャンバ１６に延在し、加熱デバイス１０の動作時、熱輸送媒体がそれらを越えて流れ、それにより、熱排出本体２８から熱輸送媒体に熱が伝達される。熱排出本体２８、故に、制御ユニット２６は、従って、冷却される一方で、熱輸送媒体は予熱される。予熱された熱輸送媒体は入口チャンバ１６からチャネル２０内を更に流れる。それによって、予熱された熱輸送媒体はチャネル２０を画定する伝熱ユニット１８を越えて流れ、加熱ユニット２５によって発生した熱を吸収する。チャネル２０のそれぞれ、又はチャネル２０は集合的に、従って、流路の加熱部分とも呼ばれる。熱輸送媒体は、従って、加熱され、その後、出口チャンバ２２内を更に流れ、出口２４を通じて加熱デバイス１０を出る。
【００２７】
熱排出本体２８は、例えば、それぞれ、パワー半導体などの制御ユニットから熱輸送媒体に熱を放出するための、例えば、矩形又はＶ字形の断面を有するフィンとして形成されてもよい。熱排出本体２８は、従って、また、熱輸送媒体を経路設定するための機能を果たす。別法として、熱排出本体２８は、例えば、各々の制御装置の下、例えば、比較的狭いチップ領域の下の場所から熱を排出する、円錐体であってもボルトであってもピンであってもよい。そのような円錐体、ボルト又はピンは、熱輸送媒体の乱流を更に強めてもよいため、熱の排出が増加してもよい。電子制御ユニットの過熱を、従って、回避することができ、制御ユニットからの廃熱は熱輸送媒体を加熱するために使用される。
【００２８】
示される例においては、入口部分１６はハウジング１２の壁３２によって外部に限定されている。出口部分２２はハウジング１２の壁３４によって外部に限定されている。壁３２及び壁３４はそれぞれ、入口１４及び出口２４それぞれから、第１の方向及び第２の方向それぞれに延在し、第１の方向及び第２の方向は、略方形のハウジング１２の３つの主要な軸のうち２つに対して傾斜する。壁３２により、従って、入口部分１６が流れの向きに（つまり、入口１４から離れる方向に）狭くなる。壁３４は、出口部分２２が流れの向き、つまり出口２４に向かう方向に広くなるように延在する。これにより、チャネル２０は熱輸送媒体とほぼ同じ圧力を有する。
【００２９】
加熱ユニット１０によって画定される流路は更に図６に概略的に示される。示される例においては、チャネル２０は適切に形成された伝熱ユニット１８によって形成される。動作時、熱輸送媒体は入口部分１６から分岐部３６及び個々のチャネル２０を通じて同時に流れ、合流部３８において出口部分２２に排出される。３つの示されるチャネル２０のそれぞれは蛇行線に沿って延在し、例えば、４つのヘアピンカーブを含む。合流部３８は、従って、同じチャネルの分岐部３６に対してオフセットする。各チャネル２０内には、伝熱ユニット１８から熱輸送媒体への熱の流れを増加するための１つ又は複数の混合デバイスが配置されてもよい（図１０〜１３を参照）。
【００３０】
図７は、伝熱ユニット１８、制御ユニット２６及び熱排出本体２８の一例の側面図を概略的に示す。示される例においては、伝熱ユニット１８及び熱排出本体２８はそれぞれ、いくつかのフィンを含む群を含む。フィンは、冷却フィンとしても公知であり、且つ流路の加熱部分及び予熱部分それぞれの熱輸送媒体への、熱の急速な伝達のために機能する。加熱ユニット２６は、例えば、半導体チップであってもよく、熱排出本体２８に取り付けられてもよい。示される例においては、伝熱ユニット１８と熱排出本体２８とは単一部品で形成される。それらは非直線に沿って延在する連結部品４４を介して互いに連結される。従って、一方では製造の簡略化と良好な頑強性との間の妥協、他方では伝熱ユニット１８と熱排出本体２８との間の効果的な熱分離が達成される。少なくとも、伝熱ユニット１８に熱接触している加熱ユニット２５（図８及び図９を参照）が制御ユニット２６よりも高い動作温度に達することになっている場合は、熱排出本体２８が熱排出ユニット１８から熱的に十分に絶縁されることが所望されてもよい。示される例においては、連結部品４４は実質的にＵ字形である。同じ距離の終端であれば、連結部品４４は仮想の真直連結部品と比較するとより長く、故に、電子制御ユニットの加熱を低減する、より高い熱抵抗を有する。伝熱ユニット１８と熱排出本体２８は、従って、互いにある程度熱的に分離されている。換言すると、伝熱ユニット１８と熱排出本体２８との間が同じ距離（距離は最小とすべきである）であれば、非真直連結部品は、等しく可能な真直連結部品と比較して、加熱ユニット２５から制御ユニット２６への低減された熱の流れを生じる。加熱ユニット２５によって電子制御ユニット２６を加熱しすぎることなく、伝熱ユニット１８（加熱伝熱ユニット）と熱排出本体２８（電子伝熱ユニット）とが単一構成要素において実装されてもよい小型の構造が、従って、実現されてもよい。
【００３１】
図８は、伝熱ユニット１８と熱排出本体２８とが真直連結部品４４を介して互いに連結されている、加熱デバイス１０の一実施形態を示す。
【００３２】
図９に概略的に示される実施形態は、加熱デバイス１０の同じ総体積を前提として、伝熱ユニット１８と熱排出本体２８との間により良好な熱分離を達成するため、連結部品４４が非直線、例えば、Ｓ字形であるという点においてのみ図８と異なる。制御ユニット２６は、制御ユニット２６から、熱排出本体２８を介した廃熱の迅速な排出を達成するため、材料の直接の連結によって熱排出本体２８に取り付けられてもよい。
【００３３】
図１０は、混合デバイス４６の第１の例を示す。混合デバイス４６は、例えば、チェーンを共に形成する、いくつかの回転要素４８及び１つ又は複数の偏向要素５０からなる。回転要素４８は、それぞれ、スクリュー形状であってもファン形状であってもよい。液体輸送媒体の異なる「パケット」を混合するため、２つの直に連続する回転要素４２は、互いに対して、例えば、９０°の回転角度を有してもよい。
【００３４】
図１１は、図１〜９のチャネル２０の１つを混合デバイス４６とともに示す。回転チェーンとも呼ばれる混合デバイス４６はチャネル２０内に配置されている。偏向要素５０はそれぞれチャネル２０の各々のヘアピンカーブ（ｈａｉｒｐｉｎ  ｃｕｒｖｅ）に取り付けられている。回転チェーン４６は、少なくともチャネル２０内に配置される場合に剛体であっても固定されていてもよい。回転要素４８及び偏向要素５０は高熱伝導率を有する材料を必ずしも含まなくてもよいが、これは幾分熱の輸送を向上させうる。回転要素４８及び偏向要素５０は、例えば、プラスチック材料から作製されてもよい。混合デバイス４６は、流れる熱輸送媒体に回転を付与するように、及び熱輸送媒体を一度又は繰り返し分割するように設計されている。回転により、熱輸送媒体の分子が伝熱ユニットの異なる温度領域に経路を定めることができ、且つチャネルの壁の高温境界層を裂くことができる。流れる熱輸送媒体のいずれの分割も異なる温度領域の分子を混合してもよい。
【００３５】
例えば、複数成分の接着剤の噴流の混合により、公知のデバイスを混合デバイスとして使用してもよい。本明細書中に記載される実施においては、しかしながら、異なる物質ではなく同じ熱輸送媒体の異なる温度領域が混合される。
【００３６】
偏向要素５０の合計数及びそれらの偏向角度（例えば、１５０°〜１８０°）はチャネル２０の形状に応じて変更してもよい。混合デバイス４６自体は比較的小さな体積のみを入れ替え、且つ流線であってもよいため、例えば、流れの遮断（ｃｕｔ−ｏｆｆｓ）及び死水領域を回避することが可能である。混合デバイス４６から生じる更なる圧力損失は、従って、非常にわずかであってもよい一方で、熱の流れを大幅に増加する。
【００３７】
図１２及び図１３はそのような混合デバイス４６の更なる例を示す。
【００３８】
図１４の流れ図は加熱デバイス１０の動作モードを示す。ブロックＳ１では、加熱デバイス１０がオンに切り換えられる。例えば、熱輸送媒体を流路に沿って駆動するためポンプ（不図示）がオンに切り換えられてもよい。同時に、又はこれの前又は後、加熱ユニット２５に電流が供給され、熱を発生させるように、電子制御ユニット２６が作動されてもよい。電気加熱ユニット２５は、従って、流路の加熱部分の熱輸送媒体に加熱用の熱を排出する（ブロックＳ２）。これの前に、熱排出本体２８を越え、且つ周囲を流れる熱輸送媒体は熱排出本体２８を介して制御ユニット２６から廃熱を吸収し、それにより、制御ユニット２６が冷却され、熱輸送媒体が予熱される。ブロックＳ３では、加熱デバイス１０がオフに切り替えられる。
【００３９】
前述の明細書、図面及び特許請求の範囲に開示される本発明の特徴は、個々に、並びに任意の組み合わせにおいて、本発明を実施するのに適切であってもよい。
【符号の説明】
【００４０】
１０  加熱デバイス
１２  ハウジング
１４  入口
１６  入口チャンバ
２０  チャネル
２２  出口チャンバ
２４  出口
２５  加熱ユニット
２６  制御ユニット
２８  熱排出本体
３０  電気接点
３２  壁
３４  壁
３６  分岐部
３８  合流部
４０  上部壁
４２  伝熱ユニット
４４  連結部品
４６  混合デバイス
４８  回転要素
５０  偏向要素
【図１】
0006380520.tif 000002
【図２】
0006380520.tif 000003
【図３】
0006380520.tif 000004
【図４】
0006380520.tif 000005
【図５】
0006380520.tif 000006
【図６】
0006380520.tif 000007
【図７】
0006380520.tif 000008
【図８】
0006380520.tif 000009
【図９】
0006380520.tif 000010
【図１０】
0006380520.tif 000011
【図１１】
0006380520.tif 000012
【図１２】
0006380520.tif 000013
【図１３】
0006380520.tif 000014
【図１４】
0006380520.tif 000015